(57)【要約】【課題】筆記の際の力の入れ具合によって、ペン先部の撓み量が変化でき、がたつきの生ずることのなく、安定した筆感を得ることが可能なボールペンの提供、及び、筆記の際の力の入れ具合によって、顕著に描線の太さを変えることを可能とすべく、ボールペン先端の角度によって、１つの筆記先端で異なる太さの描線を筆記することを可能とするボールペンの提供。【解決手段】筆記ボール30と、先端をかしめたカシメ部23により筆記ボール30を保持するホルダー21と、ホルダー21にインクを供給するインク供給部40と、インク供給部40を内部に収納する軸本体11と、軸本体11の先端部に連設し、かつ、筆記時にホルダーが突出する先軸12とを備え、先軸12には、軸心に対して放射状に複数のスリット17が形成されていることを特徴とする。【選択図】図４
2015112730.tif 000002
【特許請求の範囲】
【請求項１】
筆記ボールと、
先端をかしめたカシメ部により前記筆記ボールを保持するホルダーと、
前記ホルダーにインクを供給するインク供給部と、
前記インク供給部を内部に収納する軸本体と、
前記軸本体の先端部に連設し、かつ、筆記時にホルダーが突出する先軸とを備え、
前記先軸には、軸心に対して放射状に複数のスリットが形成されていることを特徴とするボールペン。
【請求項２】
前記先軸は、前記軸本体に固定される継手と、
前記継手に固定され、かつ、前記ホルダーの外周を覆うアウターとから構成され、
前記アウターには、軸心に対して放射状に複数のスリットが形成されていることを特徴とする請求項１記載のボールペン。
【請求項３】
前記継手の先端縁には前方に向かって解放される複数の開口部が形成され、
前記アウターの中央付近の外周側には前記開口部に対応する突起が形成されており、
前記開口部に前記突起が挿入されていることを特徴とする請求項２記載のボールペン。
【請求項４】
前記先軸は、前記軸本体に固定される継手と、
前記継手に固定され、かつ前記ホルダーの外周を覆うアウターとから構成され、
前記継手には、軸心に対して放射状に複数のスリットが形成されていることを特徴とする請求項１記載のボールペン。
【請求項５】
前記先軸は、前記軸本体に固定される継手と、
前記継手に固定され、かつ前記ホルダーの外周を覆うアウターとから構成され、
前記軸本体の先端付近には、前方に向かって解放される複数の切欠きが軸心に対して等配され、
前記継手は、筒状の継手筒部と、当該継手筒部の外周面に軸方向に突出形成され、かつ、前記切欠きに対応する突出部とから構成され、
前記継手筒部と前記突出部との間には、前記突出部の後端から前方に向けてスリットが形成され、
前記切欠きと前記突出部とが嵌合されていることを特徴とする請求項１記載のボールペン。
【請求項６】
前記インク供給部と前記ホルダーとの間には内部継手が介在していることを特徴とする請求項１、２、３、４又は５いずれか１項に記載のボールペン。
【発明の詳細な説明】
【技術分野】
【０００１】
この発明は、描線の幅を変更可能なボールペンに関する。
【背景技術】
【０００２】
従来、ボールペンのボールペン先端の傾動を可能とするボールペンに関する技術としては、特許文献１に示すように、軸筒本体と口先部材との間に弾性体を介在させ、筆記の際の力によって弾性体を撓ませて、ボールペン先端を傾動させるようにしたものが知られている。
【先行技術文献】
【特許文献】
【０００３】
【特許文献１】特開２００２−３３１７８９号公報
【発明の概要】
【発明が解決しようとする課題】
【０００４】
しかしながら、上記特許文献１に記載された発明は、ボールペン先端の撓み量が軸筒本体と口先部材との間隙によって制限されることや、ゴム等の弾性体の変質により、がたつきや筆感の変化が生ずるという問題点があった。
そこで、本願発明は、筆記の際の力の入れ具合によって、ペン先部の撓み量が変化でき、がたつきの生ずることのなく、安定した筆感を得ることが可能なボールペンの提供を第１の課題とする。
また、筆記の際の力の入れ具合によって、顕著に描線の太さを変えることを可能とすべく、ボールペン先端の角度によって、１つの筆記先端で異なる太さの描線を筆記することを可能とするボールペンの提供を第２の課題とする。
【課題を解決するための手段】
【０００５】
各発明は、上記の課題を解決するためになされたものであり、以下の点を特徴とする。なお、符号は、発明の実施の形態において用いた符号を示し、本発明の技術的範囲を限定するものではない。
（第１の発明）
本発明のうち第１の発明は、筆記ボール30と、先端をかしめたカシメ部23により筆記ボール30を保持するホルダー21と、ホルダー21にインクを供給するインク供給部40と、インク供給部40を内部に収納する軸本体11と、軸本体11の先端に連設し、かつ、筆記時にホルダーが突出する先軸12とを備え、先軸12には、軸心に対して放射状に複数のスリット17が形成されていることを特徴とするボールペンである。
【０００６】
軸本体11は、内部にインクを直接収容することが可能であってもよいし、インクが充填されたリフィルを内部に収容する構造であってもよい。インク供給部40は、コレクター41等の中間部材によって軸本体11に収容されたインクをホルダー21に供給するものであってもよいし、リフィル等の軸本体11とは別体のインク収容管に収容されたインクをホルダー21に供給するものであってもよい。
ホルダー21は、筆記時にその先端側が先軸12から露出し、後端側はこの先軸12の内部に位置してインク供給部40と連通している。ホルダー21の先端内部には図示しないボールハウスが形成され、このボールハウスに筆記ボール30が抱持されている。ホルダー21は、ステンレス鋼などの金属材料やポリアセタールなどの樹脂材料を切削加工や射出成形することにより形成することができる。
【０００７】
本発明において、スリット17とは、先軸12の外周上又は構造内部において、軸本体11の前後方向に設けられた溝又は切欠きをいう。
本発明によれば、筆記の際の力の入れ具合によって、スリット17付近が撓むため、万年筆のような筆感を得ることができる。また、ボールペンチップ20とアウター60の構成は、ボールペン先端の角度によって、１つの筆記先端で異なる太さの描線を筆記することを可能にしている。したがって、筆記の際の力の入れ具合によって、ボールペン先端の筆記面に対する角度を微妙に調節することで、顕著に描線の太さを変えることができるとともに、筆跡の表現力を向上させることができる。
【０００８】
（第２の発明）
本発明のうち第２の発明は、第１の発明におけるスリット17をアウター60に設けたものである。すなわち、先軸12は、軸本体11に固定される継手50と、継手50に固定され、かつ、ホルダー21の外周を覆うアウター60とから構成され、アウター60には、軸心に対して放射状に複数のスリット17が形成されていることを特徴とする。
本発明によれば、第１の発明と同様に、筆記の際の力の入れ具合によって、筆記先端の筆記面に対する角度を微妙に調節することができるため、顕著に描線の太さを変えることができるとともに、筆跡の表現力も向上させることができる。
【０００９】
（第３の発明）
本発明のうち第３の発明は、第２の発明の特徴に加えて、継手50の先端縁には前方に向かって解放される複数の開口部56が形成され、アウター60の中央付近の外周側には前記開口部56に対応する突起65が形成されており、開口部56に突起65が挿入されていることを特徴とする。
本発明によれば、第２の発明の効果に加えて、筆記先端への力の入れ具合によって、スリット17付近が撓むことで、外周面の突起65は、挿入されている開口部56の中で、撓んだ方向に移動する。このため、ボールペン1の使用者にとって、この突起65の移動により、スリット17付近の撓みを可視化することができる。
【００１０】
（第４の発明）
本発明のうち第４の発明は、第１の発明におけるスリット17を継手50に設けたものである。すなわち、先軸12は、軸本体11に固定される継手50と、継手50に固定され、かつホルダー21の外周を覆うアウター60とから構成され、継手50には、軸心に対して放射状に複数のスリット17が形成されていることを特徴とする。
本発明によれば、第１の発明と同様に、筆記の際の力の入れ具合によって、筆記先端の筆記面に対する角度を微妙に調節することができるため、顕著に描線の太さを変えることができるとともに、筆跡の表現力も向上させることができる。
【００１１】
（第５の発明）
本発明のうち第５の発明は、第１の発明におけるスリット17を継手50の内部に設けたものである。すなわち、先軸12は、軸本体11に固定される継手50と、継手50に固定され、かつホルダー21の外周を覆うアウター60とから構成され、軸本体11の先端付近には、前方に向かって解放される複数の切欠き16が軸心に対して等配され、継手50は、筒状の継手筒部52bと、継手筒部52bの外周面に軸方向に突出形成され、かつ、切欠き16に対応する突出部57とから構成され、継手筒部52bと突出部57との間には、突出部57の後端から前方に向けてスリット17が形成され、切欠き16と突出部57とが嵌合されていることを特徴とする。
【００１２】
本発明によれば、第１の発明と同様に、筆記の際の力の入れ具合によって、筆記先端の筆記面に対する角度を微妙に調節することができるため、顕著に描線の太さを変えることができるとともに、筆跡の表現力も向上させることができる。
（第６の発明）
本発明のうち第６の発明は、前記の特徴に加えて、インク供給部40とホルダー21との間には内部継手14が介在していることを特徴とする。
ホルダー21はインク供給部40に直接接続されていてもよいが、内部継手14を介在させることは、特に、ホルダー21とインク供給部40との径の差が大きいときに有効となる。
【発明の効果】
【００１３】
本願発明は、上述のように構成されているので、筆記の際の力の入れ具合によって、スリット付近を撓ませることができ、万年筆のような筆感を得ることができる。
また、ボールペン先端の角度によって、１つの筆記先端で異なる太さの描線を筆記することができる。したがって、筆記の際の力の入れ具合によって、ボールペン先端の筆記面に対する角度を微妙に調節することで、描線の太さを変えることができるため、「トメ」「ハネ」「ハライ」を容易かつ高品位で筆記することができ、筆跡の表現力も向上させることができる。
【図面の簡単な説明】
【００１４】
【図１】本発明の第１の実施の形態のボールペンの（Ａ）正面図及び（Ｂ）縦断面図である。
【図２】第１の実施の形態のボールペンの先端部の縦断面図である。
【図３】第１の実施の形態のボールペンに用いられるアウターの（Ａ）斜視図及び（Ｂ）縦断面図である。
【図４】第１の実施の形態のボールペンの先軸の斜視図である。
【図５】本発明の第２の実施の形態のボールペンの（Ａ）正面図及び（Ｂ）縦断面図である。
【図６】第２の実施の形態のボールペンの先端部の縦断面図である。
【図７】第２の実施の形態のボールペンに用いられる継手の（Ａ）斜視図及び（Ｂ）縦断面図である。
【図８】第２の実施の形態のボールペンの先軸の斜視図である。
【図９】本発明の第３の実施の形態のボールペンの（Ａ）正面図及び（Ｂ）縦断面図である。
【図１０】第３の実施の形態のボールペンの先端部の縦断面図である。
【図１１】第３の実施の形態のボールペンに用いられる軸本体の前方の（Ａ）斜視図及び（Ｂ）縦断面図である。
【図１２】第３の実施の形態のボールペンに用いられる継手の（Ａ）斜視図及び（Ｂ）縦断面図である。
【図１３】第３の実施の形態のボールペンの先軸の斜視図である。
【図１４】本発明に係るボールペンで筆記した文字と従来の筆記具で筆記した文字である。
【発明を実施するための形態】
【００１５】
以下、図面を参照しつつ、本発明の実施の形態を、第１、第２及び第３の実施の形態に分けて説明する。なお、本明細書において、ボールペン1及びその構成部品についての「前方」とは筆記ボール30をボールペン1の先端とした場合の先端側をいい、「後方」とはその反対側をいうものとする。
（第１の実施の形態）
本実施の第１の形態に係るボールペン1の外観を図１（Ａ）に示す。このボールペン1は、図１（Ｂ）及び図２に示すように、筆記ボール30及び先端をかしめたカシメ部23により筆記ボール30を保持するホルダー21を有するボールペンチップ20と、ボールペンチップ20のホルダー21にインクを供給するインク供給部40と、インク供給部40を内部に収納する軸筒10とを備えている。
【００１６】
軸筒10は、図１（Ｂ）に示すように、インク収容部13を備えた軸本体11と、軸本体11の先端に設けられた先軸12とからなる。先軸12は、軸本体11の先端部に固定される継手50と、継手50に固定されるアウター60とから構成されている。また、先軸12内部には、インク供給部40とボールペンチップ20とをつなぐ内部継手14が内蔵されている。さらに、前記インク収容部13には、図示しないインクが充填されている。
インク供給部40は、図１（Ｂ）に示すように、複数のフィンが外周に形成された略筒状のコレクター41と、コレクター41の先端を縮径して形成された先端保持部42と、この先端保持部42の先端に装着されたゴム弾性材料からなる先端コマ44とを有する。コレクター41の後端部はインク収容部13と接している。図２に示すように、先端コマ44には、後方内部に先端保持部42が、前方内部に内部継手14が嵌入されている。コレクター芯43は、棒状のポリエステルファイバーから形成されており、その後端側はインク収容部13内に突出しており（図１（Ｂ）参照）、その中央部はコレクター41と先端保持部42と先頭コマ44を軸方向に貫通し、その先端側は、内部継手14の後端部から内部継手14のほぼ半分の位置まで挿入されている。
【００１７】
ボールペンチップ20は、図２に示すように、円筒形のホルダー21と、ホルダー21に保持される筆記ボール30とを備えている。ホルダー21の先端側には、先端に向かって先細となる略円錐状のテーパー部22が形成されているとともに、テーパー部22の小口を内方に押圧して縮径変形されたカシメ部23が形成されている。そして、テーパー部22の内側に抱持される筆記ボール30の先端部が、カシメ部23の先端縁から露出するようになっている。ホルダー21はステンレス鋼などの金属製やポリアセタールなどの樹脂製のパイプ材を加工して形成することができる。また、ホルダー21の内部には、ホルダー21の後端部から突出する棒状の中芯25が挿入されている。中芯25はコレクター芯43と同様にポリエステルファイバーにより形成され、その後端はコレクター芯43の先端部に嵌め込まれるとともに、その先端は筆記ボール30の直後に達しており、コレクター芯43に浸透したインクを吸収して筆記ボール30にインクを供給する。さらに、ボールペンチップ20は、後端側からほぼ２／３程度が内部継手14に嵌入された状態で、内部継手14に保持される。
【００１８】
なお、コレクター芯43及び中芯25は、使用するインクの粘度等の性状に応じて、適切なポリエステルファイバーの気孔率や表面形状を選択して形成される。
継手50は、円筒状の継手固定部51と継手固定部51に連設する略円錐形状の継手テーパー部52aとから構成される合成樹脂製の部品である。また、継手50は、図２に示すように、後端から先端に向けて孔が形成されており、継手固定部51の内面には後方挿入孔53が設けられ、継手テーパー部52aの中央付近の内面には、後方挿入孔53よりも小径の中央挿入孔54が設けられ、継手テーパー部52aの先端付近の内面には、中央挿入孔54とほぼ同径の先方挿入孔55が設けられている。さらに、図４に示すように、継手50の先端縁３箇所に開口部56が等配されている。
【００１９】
図１（Ｂ）及び図２に示すように、この継手50には、後方からインク供給部40とインク供給部40に嵌入された内部継手14が挿入される。この際、後方挿入孔53には先端コマ44が嵌入されており、中央挿入孔54には内部継手14が挿入されている。そして、継手固定部51が、軸本体11の先端付近の内面に嵌入されることで、継手50は、軸本体11に固定される。
アウター60は、図２、図３（Ａ）及び（Ｂ）に示すように、円筒状のアウター固定部61と、このアウター固定部61より先端側を占め外部から視認可能な略円錐形状の露出部60aとから構成された合成樹脂製の部品である。この露出部60aの先端側は、アウターテーパー部62として形成されており、その先端には面取りされたアウター先端部66が設けられている。また、露出部60aの後端側、アウターテーパー部62の後端からアウター固定部61の先端にかけて、外方に突出した３個の突起65が軸心に対して放射状に等配されている。図４に示すように、この突起65は、対応する継手50の開口部56内に挿入されている。さらに、アウターテーパー部62の後端側およそ１／３の位置で、かつ、突起65に挟まれた部分には、スリット17が２箇所ずつ、計６箇所軸心に対して放射状に形成されている。そして、アウター60には、後端から先端に向けて孔が形成されており、アウター固定部61の内面には後部挿入孔63が設けられ、アウターテーパー部62の先端付近の内面には、後部挿入孔63よりも小径の前部挿入孔64が設けられている。アウター固定部61は、継手50の前方挿入孔55に嵌入されることで、継手50に固定される。そして、アウター60は、ボールペンチップ20に覆い被さる。この際、後部挿入孔63には内部継手14の先端部が挿入され、前部挿入孔64には、内部継手14から突出しているボールペンチップ20が嵌入される。アウター60の先端付近は、図４に示すように、筆記ボール30と、筆記ボール30を覆うカシメ部23と、アウター先端部66のみが露出しており、筆記ボール30とアウター先端部66が同時に筆記面に当接した場合、筆記面と、筆記ボール30と、カシメ部23と、アウター先端部66に囲まれた部分に空間が生じるように配置されている。
【００２０】
このボールペン1は、スリット17付近が撓みやすい構造となっているため、筆記の際の力の入れ具合によって、アウター60の先端部分を軸本体11の中心軸から傾けることができる。そのため万年筆のような筆感を得ることができる。
また、アウター60の先端部分を軸本体11の中心軸から傾けることで、筆記ボール30とアウター先端部66が筆記面に当接すれば、筆記面と、筆記ボール30と、カシメ部23と、アウター先端部66に囲まれた空間に、筆記ボール30の表面に付着しているインクや、筆記ボール30の回転に伴い図示しないボールハウスから流出するインクが、毛細管現象により拡散される。したがって、筆記ボール30によって描かれる線よりも太い線を描くことが可能となる。すなわち、スリット17付近の撓みにより、筆記先端の筆記面に対する角度を微妙に調節することできるため、描線の太さを変えることができる。
【００２１】
さらに、筆記先端への力の入れ具合によって、スリット17付近が撓むことで、外周面の突起65は、挿入されている開口部56の中で、撓んだ方向に移動する。このため、ボールペン1の使用者にとって、この突起65の移動によりスリット17付近の撓みが可視化されることとなる。
（第２の実施の形態）
本実施の第２の形態に係るボールペン1の外観を図５（Ａ）に示す。第２の実施の形態は、先軸12において、継手50にスリット17を設けたものである。なお、第２の実施の形態は、先軸12の構造が第１の実施の形態と相違するものの、その他については第１の実施の形態と同様であるので、相違点についてのみ説明する。
【００２２】
継手50は、図６に示すように、円筒状の継手固定部51と継手固定部51に連設する略円錐形状の継手テーパー部52aとから構成される合成樹脂製の部品である。また、継手50は、後端から先端に向けて孔が形成されており、継手固定部51の内面には後方挿入孔53が設けられ、継手テーパー部52aの中央付近の内面には、後方挿入孔53よりも小径の中央挿入孔54が設けられ、継手テーパー部52aの先端付近の内面には、中央挿入孔54をわずかに縮径した先方挿入孔55が設けられている。さらに、図７（Ａ）、（Ｂ）及び図８に示すように、継手50の先端から継手テーパー部52aの中央付近にかけて９個のスリット17が軸心に対して放射状に等配されている。なお、中央挿入孔54付近ではスリット17が中央挿入孔54の内面まで貫通している。
【００２３】
図５（Ｂ）及び図６に示すように、この継手50には、後方からインク供給部40とインク供給部40に嵌入された内部継手14が挿入される。この際、後方挿入孔53には先端コマ44が嵌入されており、中央挿入孔54には内部継手14が挿入されている。そして、継手固定部51が、軸本体11の先端付近の内面に嵌入されることで、継手50は、軸本体11に固定される。
アウター60は、図６及び図８に示すように、円筒状のアウター固定部61と、このアウター固定部61に連設する略円錐形状のアウターテーパー部62とから構成された合成樹脂製の部品である。アウターテーパー部62の先端には面取りされたアウター先端部66が設けられている。また、アウター60には、後端から先端に向けて孔が形成されており、アウター固定部61の内面には後部挿入孔63が設けられ、アウターテーパー部62の先端付近の内面には、後部挿入孔63よりも小径の前部挿入孔64が設けられている。アウター固定部61は、継手50の前方挿入孔55に嵌入されることで、継手50に固定される。そして、アウター60は、ボールペンチップ20に覆い被さる。この際、後部挿入孔63には内部継手14の先端部が挿入され、前部挿入孔64には、内部継手14から突出しているボールペンチップ20が嵌入される。アウター60の先端付近は、図８に示すように、筆記ボール30と、筆記ボール30を覆うカシメ部23と、アウター先端部66のみが露出しており、筆記ボール30とアウター先端部66が同時に筆記面に当接した場合、筆記面と、筆記ボール30と、カシメ部23と、アウター先端部66に囲まれた部分に空間が生じるように配置されている。
【００２４】
このボールペン1は、スリット17付近が撓みやすい構造となっているため、筆記の際の力の入れ具合によって、アウター60を軸本体11の中心軸から傾けることができる。そのため万年筆のような筆感を得ることができる。
また、アウター60を軸本体11の中心軸から傾けることで、筆記ボール30とアウター先端部66が筆記面に当接すれば、筆記面と、筆記ボール30と、カシメ部23と、アウター先端部66に囲まれた空間に、筆記ボール30の表面に付着しているインクや、筆記ボール30の回転に伴い図示しないボールハウスから流出するインクが、毛細管現象により拡散される。したがって、筆記ボール30によって描かれる線よりも太い線を描くことが可能となる。すなわち、スリット17付近の撓みにより、筆記先端の筆記面に対する角度を微妙に調節することできるため、描線の太さを変えることができる。
【００２５】
（第３の実施の形態）
本実施の第３の形態に係るボールペン1の外観を、図９（Ａ）に示す。第３の実施の形態は、先軸12において、継手50の内部にスリット17を設けたものである。なお、第３の実施の形態は、先軸12の構造が第１の実施の形態と相違するものの、その他については第１の実施の形態と同様であるので、相違点についてのみ説明する。
軸本体11の前方の縮径部分には、図９（Ａ）、図１１（Ａ）及び（Ｂ）に示すように、縮径部分の先端から約２／３まで切欠き16が形成されている。
継手50は、図１２（Ａ）及び（Ｂ）に示すように、円筒の継手筒部52bと、継手筒部52bの外周面８箇所に等配され、かつ、一部が継手筒部52bの後方に突出するように軸方向に突出形成された、略三角形状の突出部57とから構成される合成樹脂製の部品である。この突出部57の後端から継手50の後方側約１／３の位置に、突出部57と継手筒部52bとの間に隙間が生じるよう、スリット17が軸心に対して放射状に形成されている。また、継手50は、後端から先端に向けて孔が形成されており、継手筒部52bの後方の内面には後方挿入孔53が設けられ、継手筒部52bの前方の内面には後方挿入孔53と同径の先方挿入孔55が設けられている。
【００２６】
図９（Ｂ）及び図１０に示すように、この継手50には、後方からインク供給部40に嵌入された内部継手14が挿入されている。そして、突出部57が、軸本体11の切欠き16と嵌合することで、継手50は、軸本体11に固定される。
アウター60は、図１０及び図１３に示すように、円筒状のアウター固定部61と、このアウター固定部61に連設する略円錐形状のアウターテーパー部62とから構成された合成樹脂製の部品である。アウターテーパー部62の先端には面取りされたアウター先端部66が設けられている。また、アウター60は、後端から先端に向けて孔が形成されており、アウター固定部61の内面には後部挿入孔63が設けられ、アウターテーパー部62の先端付近の内面には、後部挿入孔63よりも小径の前部挿入孔64が設けられている。アウター固定部61は、継手50の前方挿入孔55に嵌入されることで、継手50に固定される。そして、アウター60は、ボールペンチップ20に覆い被さる。この際、後部挿入孔63には内部継手14の先端部が挿入され、前部挿入孔64には、内部継手14から突出しているボールペンチップ20が嵌入される。アウター60の先端付近は、図１３に示すように、筆記ボール30と、筆記ボール30を覆うカシメ部23と、アウター先端部66のみが露出しており、筆記ボール30とアウター先端部66が同時に筆記面に当接した場合、筆記面と、筆記ボール30と、カシメ部23と、アウター先端部66に囲まれた部分に空間が生じるように配置されている。
【００２７】
このボールペン1は、スリット17によって突出部57が軸本体11の軸心に対して前後左右に撓みやすい構造となっているため、筆記の際の力の入れ具合によって、アウター60を軸本体11の中心軸から傾けることができる。そのため万年筆のような筆感を得ることができる。
また、アウター60を軸本体11の中心軸から傾けることで、筆記ボール30とアウター先端部66が筆記面に当接すれば、筆記面と、筆記ボール30と、カシメ部23と、アウター先端部66に囲まれた空間に、筆記ボール30の表面に付着しているインクや、筆記ボール30の回転に伴い図示しないボールハウスから流出するインクが、毛細管現象により拡散される。したがって、筆記ボール30によって描かれる線よりも太い線を描くことが可能となる。すなわち、スリット17付近の撓みにより、筆記先端の筆記面に対する角度を微妙に調節することできるため、描線の太さを変えることができる。
【００２８】
（他の筆記具との比較例）
図１４は、ボールペン、サインペン、万年筆と、本発明に係るボールペン1で筆記した筆跡である。本発明に係るボールペン1で筆記した筆跡は、ボールペン、サインペン、万年筆と比べ、画の終わりである「トメ」α、「ハネ」β及び「ハライ」γを容易かつ高品位で筆記することができる。
このように、上述した第１、第２及び第３の実施の形態においては、スリット17によってアウター60を撓ませることができ、筆記の際の力の入れ具合によって、万年筆のような筆感を得ることができる。
【００２９】
また、ボールペンチップ20とアウター60の構成は、ボールペン先端の角度によって、１つの筆記先端で異なる太さの描線を筆記することを可能にしている。したがって、筆記の際の力の入れ具合によって、ボールペン先端の筆記面に対する角度を微妙に調節することで、描線の太さを変えることができるとともに、筆跡の表現力も向上させることができる。
【産業上の利用可能性】
【００３０】
この発明は、ボールペンなどの筆記具に利用することができる。
【符号の説明】
【００３１】
1  ボールペン
10  軸筒                  11  軸本体                12  先軸
13  インク収容部          14  内部継手
16  切欠き                17  スリット
20  ボールペンチップ      21  ホルダー              22  テーパー部
23  カシメ部              25  中芯
30  筆記ボール
40  インク供給部          41  コレクター            42  先端保持部
43  コレクター芯          44  先端コマ
50  継手                  51  継手固定部            52a  継手テーパー部
52b  継手筒部             53  後方挿入孔            54  中央挿入孔
55  前方挿入孔            56  開口部                57  突出部
60  アウター              60a  露出部               61  アウター固定部
62  アウターテーパー部    63  後部挿入孔            64  前部挿入孔
65  突起                  66  アウター先端部
【図１】
2015112730.tif 000003
【図２】
2015112730.tif 000004
【図３】
2015112730.tif 000005
【図４】
2015112730.tif 000006
【図５】
2015112730.tif 000007
【図６】
2015112730.tif 000008
【図７】
2015112730.tif 000009
【図８】
2015112730.tif 000010
【図９】
2015112730.tif 000011
【図１０】
2015112730.tif 000012
【図１１】
2015112730.tif 000013
【図１２】
2015112730.tif 000014
【図１３】
2015112730.tif 000015
【図１４】
2015112730.tif 000016